(57)【要約】【課題】  フロアパネルの表面側（上面側）にヒータを取り付けても、荷重等により破損しない構造とするだけでなく、凹凸やガタツキ等の無い安定した高品質のフロアパネルを提供することにある。【解決手段】  ヒータ機能付きフロアパネル１０は、パネル基体２０の上面の４辺を凸状に形成してシート状ヒータ３０と静電シート５０とヒータの熱を均一に広げる均熱板４０を収納する枠体２１を備える。当該枠体２１内にあって、均熱板４０の熱膨張・熱収縮を妨げる固定をせずに均熱板４０を収納するとともに、枠体２１と均熱板４０との間に間隙２２を設けて非接触状態とすることを特徴とした。【選択図】  図１
2014101718.tif 000002
【特許請求の範囲】
【請求項１】
フリーアクセスフロアを構成するヒータ機能付きフロアパネルであって、
パネル基体の上面の４辺を凸状に形成してシート状ヒータとヒータの熱を均一に広げる均熱板を収納する枠体を備え、
当該枠体内にあって、均熱板の熱膨張・熱収縮を妨げる固定をせずに均熱板を収納することを特徴としたヒータ機能付きフロアパネル。
【請求項２】
当該枠体は、均熱板との間に間隙を設けて非接触状態とすることを特徴とした請求項１記載のヒータ機能付きフロアパネル。
【請求項３】
シート状ヒータと均熱板の間に樹脂製の静電シートを備えることを特徴とした請求項１又は２記載のヒータ機能付きフロアパネル。
【請求項４】
静電シートは、枠体内の少なくとも四隅に小片を配して部分的に２層構造とすることを特徴とした請求項３記載のヒータ機能付きフロアパネル。
【請求項５】
シート状ヒータの配線を挿通するためにパネル基体の厚み方向に貫通した配線用貫通孔を備えることを特徴とした請求項１から４のいずれかに記載のヒータ機能付きフロアパネル。
【発明の詳細な説明】
【技術分野】
【０００１】
本願発明は、フリーアクセスフロアを構成するヒータ機能付きフロアパネルに関するものである。
【背景技術】
【０００２】
冬場のオフィスビルの事務所においては、直下のフロアが駐車場などの大空間がある場合、冷たい空気が床を伝わって特に底冷えを感じさせる。
また、日当たりやエアコンの位置関係によって、足下の冷えを感じるケースが多い。
そのため、オフィスビルの床はほとんどが二重床構造（フリーアクセスフロア）であることから、フロアパネルにヒータ機能を持たせることが必要である。
【０００３】
従来のヒータ機能付きフロアパネルでは、人や椅子、机などの荷重によってヒータの破損のおそれがあったために、フロアパネルの背面側（裏面側）にヒータを取り付ける構造を採用することが多かった。しかし、これには以下の問題があった。
（１）床下に放熱してしまい、無駄なエネルギーを使用している。
（２）フロアパネルを通して熱が（表面側へ）伝わるまで立ち上がりに時間がかかるため、無駄なエネルギーを使用している。
【０００４】
そこで、フロアパネルの表面側（上面側）にヒータを取り付ける構造が必要とされる。
特許文献１に開示された床暖房付フリーアクセスフロアは、フロアパネルの表面側（上面側）にヒータを取り付けるものである。その構造は、図５に示すように、下方に向けて脚部を突設し、底面側に配線を通す空間を有する樹脂製支持台６にタイルカーペット７を敷設したフリーアクセスフロアにおいて、前記樹脂製支持台上に、断熱材２と、面状発熱体としてのＰＴＣ面状遠赤外線発熱体３と、絶縁シート４と、均熱板ともなる金属製保護ケーシング５とを順に重ねて暖房部材１を一体的に形成し、該暖房部材の上に前記タイルカーペット７を敷設して床を構成し、前記樹脂製支持台６と前記暖房部材１との合計の高さを、前記暖房部材を有していないフリーアクセスフロアの樹脂製支持台１０の高さに合わせた寸法としたものである。
【先行技術文献】
【特許文献】
【０００５】
【特許文献１】特開２００４−２３９５７１号公報
【発明の概要】
【発明が解決しようとする課題】
【０００６】
特許文献１に開示された床暖房付フリーアクセスフロアでは、金属製保護ケーシング５によって、暖房部材１の組み込まれた床暖房付フリーアクセスフロア上を人が歩いても、また、人が腰掛けたキャスター椅子が乗り上げても、さらにまた、物を置いたりしても、前記発熱体３が損傷しないように保護される（特許文献１明細書［００２５］参照）。
【０００７】
確かに、金属製保護ケーシング５によって「発熱体３」は保護されるかもしれない。
しかし、発熱体３の熱によって金属製保護ケーシング５は熱膨張・熱収縮を引き起こすことになる。この時、特許文献１に開示された構造であると、金属製保護ケーシング５に歪みが生じフロア面（床面）に凹凸やガタツキを招いてしまうので、実用化されるまでのものになっていない。
【０００８】
そこで、本願発明は、上記した問題点を解決するためになされたものであって、フロアパネルの表面側（上面側）にヒータを取り付けても、荷重等により破損しない構造とするだけでなく、凹凸やガタツキ等の無い安定した高品質のフロアパネルを提供すべく、本願発明を完成させるに至った。
【課題を解決するための手段】
【０００９】
本願発明の第１の発明は、フリーアクセスフロアを構成するヒータ機能付きフロアパネルであって、パネル基体の上面の４辺を凸状に形成してシート状ヒータとヒータの熱を均一に広げる均熱板を収納する枠体を備え、当該枠体内にあって、均熱板の熱膨張・熱収縮を妨げる固定をせずに均熱板を収納することを特徴としたものである。
第２の発明は、当該枠体が、均熱板との間に間隙を設けて非接触状態とすることを特徴とした同ヒータ機能付きフロアパネルである。
第３の発明は、シート状ヒータと均熱板の間に樹脂製の静電シートを備えることを特徴とした同ヒータ機能付きフロアパネルである。
第４の発明は、静電シートが、枠体内の少なくとも四隅に小片を配して部分的に２層構造とすることを特徴とした同ヒータ機能付きフロアパネルである。
第５の発明は、シート状ヒータの配線を挿通するためにパネル基体の厚み方向に貫通した配線用貫通孔を備えることを特徴とした同ヒータ機能付きフロアパネルである。
【発明の効果】
【００１０】
本願発明によれば、次のような効果を有する。
（１）ヒータ（シート状ヒータ）がフロアパネル表面（上面）に取り付けられているため、効率的に床面が暖まる。また、在席中において、作業者の足が靴やスリッパを通して床面と接触するため、低温に設定しても暖かさを感じることができる。
（２）ヒータの熱を均一に広げる均熱板がシート状ヒータの保護にもなり、ヒータの破損を防止できる。
（３）また、フロアパネルの枠体内にあって、均熱板はその熱膨張・熱収縮を妨げる固定をせずに収納されるので、ヒータの熱による歪みが均熱板に発生することを防止できて、凹凸やガタツキ等の無い安定した高品質のフロアパネルを提供できる。
（４）さらに、フロアパネルの枠体が、均熱板との間に間隙を設けて非接触状態とすることで、熱膨張した均熱板が枠体に接触して反りや歪みを発生することを防止できて（間隙部分が逃げとなる）、凹凸やガタツキ等の無い安定した高品質のフロアパネルを提供できる。
（５）シート状ヒータと均熱板の間に樹脂製の静電シートを備えることで、ヒータの漏れ電流を抑えることができるとともに、均熱板の歪みを吸収して凹凸やガタツキ等の無い安定した高品質のフロアパネルを提供できる。
（６）静電シートが、枠体内の少なくとも四隅に小片を配して部分的に２層構造とすることで、この静電シート５０の上側に配置される均熱板４０と静電シート５０との隙間によって生じるガタツキ等を防止することができる。
（７）シート状ヒータの配線を挿通するためにパネル基体の厚み方向に貫通した配線用貫通孔を備えることで、隣り合うフロアパネルと干渉することなしに、ヒータの配線を実施できる。
【図面の簡単な説明】
【００１１】
【図１】本願発明の実施形態を示す説明図（１）。
【図２】本願発明の実施形態を示す説明図（２）。
【図３】本願発明の実施形態を示す説明図（３）。
【図４】本願発明の実施形態を示す説明図（４）。
【図５】特許文献１（従来技術）を説明する説明図。
【発明を実施するための最良の形態】
【００１２】
本願発明の実施形態を図面に基づいて説明する。
図１は、本願発明の実施形態を示す説明図（１）である。
図１に示すように、本願発明に係るフロアパネル１０は、パネル基体２０の上面の４辺を凸状に形成した枠体２１を備える。なお、枠体２１の形成方法は特に限定されるものではなく、例えば、パネル基体２０に枠体となる部材の取り付け、パネル基体の切削、或いは金型による一体成形などによって形成する。
そして、この枠体２１内に、ヒータ３０と均熱板４０と静電シート５０を収納し、最後にタイルカーペット６０を敷設する（図１→図２を参照）。
【００１３】
パネル基体２０や枠体２１の材質は、ケイカル板・石こう・セメントなど特に限定するものではないが、ヒータ３０からの熱を床下に放熱しないような断熱性能の高いもの（例えば、パーティクルボードやケイカル板など）が好ましい。
また、ヒータ３０は、枠体２１内に収納可能なシート状（或いはフィルム状）のものを使用する。荷重による電熱線の切断を防止するためにカーボンヒータが好ましい。
【００１４】
均熱板４０は、ヒータ３０の熱を均一に広げる役割を果たすものである。これにより、床面が早く暖まりやすく、暖かさを感じやすい。また、均熱板４０がヒータ３０の保護の役割も果たす。この均熱板４０がヒータ３０の上側にあることで、荷重などの衝撃によるヒータ３０の破損を防止する。均熱板４０はこのような役割を果たすために、熱伝導性と耐久・耐衝撃性を兼ね備えたものが必要となってくる。従って、金属製のものが好ましいが、これに限定されるものではなく、例えば、樹脂製のものであっても熱伝導性と耐久・耐衝撃性を兼ね備えたものであれば、これを使用してもよい。
【００１５】
また、均熱板３０は、ヒータ３０の熱を受けるので、ヒータ３０の熱による熱膨張・熱収縮を生じることになる。枠体２１内での均熱板４０の熱膨張・熱収縮は、均熱板４０に歪みを発生させる危険性があるが、フロアパネル１０の枠体２１内にあって、均熱板４０はその熱膨張・熱収縮を妨げる固定（例えば、ビスや接着剤を用いた固定）をせずに収納される。これによって、ヒータ３０の熱による歪みが均熱板４０に発生することを防止できて、凹凸やガタツキ等の無い安定した高品質のフロアパネル１０を提供できる。均熱板４０を固定する場合は、テープや仮止めの方法を用いて、均熱板４０の熱膨張・熱収縮を妨げる固定をしなければよい。
【００１６】
さらに、図２に示すように、均熱板４０は、フロアパネル１０の枠体２１との間に間隙２２を設けて非接触状態とすることで、熱膨張した均熱板４０が枠体２１に接触して反りや歪みを発生することを防止できて（間隙２２の部分が逃げとなる）、凹凸やガタツキ等の無い安定した高品質のフロアパネル１０を提供できる。
【００１７】
静電シート５０は、ヒータ３０と均熱板４０の間に備えることで、両者の間で発生するコンデンサ現象を防ぐ役割を果たし、ヒータ３０の漏れ電流を抑えることができる。
また、静電シート５０がビニール樹脂製である場合、その弾性（柔軟性）によって均熱板４０の歪みを吸収する役割を果たし、凹凸やガタツキ等の無い安定した高品質のフロアパネル１０を提供できる。
【００１８】
図３は、静電シート５０が、枠体２１内の少なくとも四隅に小片５１，５１，５１，５１を配して部分的に２層構造としたものである。このようにすることで、この静電シート５０の上側に配置される均熱板４０と静電シート５０との隙間によって生じるガタツキ等を防止することができる。従って、必要に応じて、枠体２１内の四隅以外、例えば、四隅に配置された小片５１と小片５１の間や枠体２１内の中心部などにも小片を配してもよい。
【００１９】
図４は、ヒータ３０の配線を挿通するためにパネル基体２０の厚み方向に貫通した配線用貫通孔２３を備えたものである。この配線用貫通孔２３を備えることで、隣り合うフロアパネルと干渉することなしに、ヒータ３０の配線を実施できる。
【産業上の利用可能性】
【００２０】
本願発明は、フリーアクセスフロアを構成するヒータ機能付きフロアパネルに広く利用できるものである。特に、ヒータをフロアパネルの表面側（上面側）に取り付ける構造の場合に利用するものである。
【符号の説明】
【００２１】
１０  フロアパネル
２０  パネル基体
２１  枠体
２２  間隙
２３  配線用貫通孔
３０  ヒータ（シート状ヒータ）
４０  均熱板
５０  静電シート
５１  小片
６０  タイルカーペット
【図１】
2014101718.tif 000003
【図２】
2014101718.tif 000004
【図３】
2014101718.tif 000005
【図４】
2014101718.tif 000006
【図５】
2014101718.tif 000007